(57)【要約】      （修正有）【課題】局部被覆により、転動体をスペーサーの間にある中心位置に保持し、回旋循環運動を行う時、好ましくない押詰りや脱出現象を防止する転動体保持器を提供する。【解決手段】複数のスペーサー１と２対の連結帯２及び二つの抗張帯３を含む。スペーサー１は、その表面に凹設した貯油部を複数有し、スペーサーの前後の両端面に、それぞれ、複数の接触面１３を有し、スペーサーの間において、相対する接触面同士が局部被覆式収納空間を形成する。連結帯２は、１対毎に、スペーサーの両側に設置され、抗張帯３は、それぞれ、スペーサーの両側に設置され、また、連結帯２と連接結合し、転動体は、それぞれ、転動可能に局部被覆式収納空間内に収納され、局部被覆により、スペーサーの間に保持される。【選択図】図５
0003138974.tif 000002
【実用新案登録請求の範囲】
【請求項１】
その表面に凹設された貯油部を有し、前後の両端面に、それぞれ、複数の接触面が設けられ、対応する接触面同士により、局部被覆式収納空間が形成される複数のスペーサーと、
１対毎に、前記スペーサーの両側に設置される２対の連結帯と、
それぞれ、前記スペーサーの両側に設置され、また、前記２対の連結帯と連接結合される２本の抗張帯と、
それぞれ、転動自由に前記局部被覆式収納空間に収納される複数の転動体とを備えることを特徴とする転動体保持器の改良構造。
【請求項２】
前記貯油部は、第１の凹槽及び二つの第２の凹槽からなり、前記第１の凹槽は、前記スペーサーの上端から下へ凹むように形成され、前記スペーサーの両側に連通する開放式円弧状溝であり、前記二つの第２の凹槽は、それぞれ、隣接する前記接触面とともに凹むように、前記スペーサーの前後の両端面に形成されることを特徴とする請求項１に記載の転動体保持器の改良構造。
【請求項３】
前記スペーサーは、直線的に間隔を空けて、前記二つの抗張帯の間に配列され、前記接触面が、前記転動体に対応し、また、前記転動体の表面の一部の面に接触し、１対の連結帯が、該スペーサー側から外へ向かって、相対的に、二つに分かれて前記抗張帯まで延ばされて連接結合されることを特徴とする請求項１に記載の転動体保持器の改良構造。
【請求項４】
前記接触面は、第１の球面と二つの第２の球面からなり、該二つの第２の球面は、相対的に、前記スペーサーの両側縁に設置され、また、前記連結帯に隣接して外へ向かい、湾曲して成形され、前記第１の球面は、前記二つの第２の球面の間で、上へ曲がって成形され、また、前記スペーサーの上縁と連接することを特徴とする請求項１に記載の転動体保持器の改良構造。
【請求項５】
前記抗張帯は、前記スペーサーの間隔に対応する縦方向距離を有する可撓性部分を有し、前記連結帯は、一端が、前記スペーサー側に連接結合され、他端が、前記抗張帯の前記可撓性部分の中間位置において連接結合され、また、前記抗張帯は、前記スペーサーに対応する側において、前記スペーサーの前後縁に隣接する縦方向距離を有する非可撓性部分を有することを特徴とする請求項１に記載の転動体保持器の改良構造。
【考案の詳細な説明】
【技術分野】
【０００１】
本考案は、転動体保持器の改良構造に関し、特に、転動体を安定的に且つスムーズに転動でき、線形ガードレール等の装置に適用でき、精密に所望の作動を行えるものに関する。
【背景技術】
【０００２】
転動体保持器は、通常、ボールである転動体を収納し、転動体を転動させ、更に、回旋循環運動を行わせるためのものであり、一般的に、例えば高速運転や精密位置付けの作動が必要な線形ガードレール等の精密装置に応用されるものである。
【０００３】
図１と図２に示すように、従来のボール素子保持器は複数のスペーサー１ａと二つの抗張帯３ａ及び複数の転動体４ａを含む。スペーサー１ａの両側に、それぞれ、連結帯２ａがあり、該二つの連結帯２ａは、それぞれ、スペーサー１ａの両側において、二つの抗張帯３ａと連接結合し、これにより、スペーサー１ａは、二つの抗張帯３ａの間において、直線的に配列される。
【０００４】
スペーサー１ａの前後両端面に、それぞれ、一体成型である球面１１ａがあり、該球面１１ａは、転動体４ａに対応するように成形され、転動体４ａは、ボールであり、スペーサー１ａの間に、それぞれ、転動体４ａが収納される。また、球面１１ａが転動体４ａと緊密に面接触することにより、転動体４ａが、スペーサー１ａの間において安定して転動できる。
【０００５】
図３と図４に示すように、従来の他の転動体保持器においては、スペーサー１ａは、前後両端面に、それぞれ、凹槽１２ａがあり、該凹槽１２ａは、スペーサー１ａの端面を凹めるように形成され、凹槽１２ａの両側縁は、それぞれ、転動体４ａの表面と、点接触し、また、転動体４ａは、転動自由にスペーサー１ａの間に収納される。
【０００６】
抗張帯３ａは、可撓性部分３１ａと非可撓性部分３２ａがあり、可撓性部分３１ａは、抗張帯が、前記スペーサー１ａの間隔に対応する縦方向距離を有し、非可撓性部分３２ａは、抗張帯３ａのスペーサー１ａ側に対応し、スペーサー１ａの前後縁に隣接する縦方向距離を有する。
【０００７】
上記の素子の構造により、前記転動体４ａが、転動自由にスペーサー１ａの間に保持され、また、回旋循環運動を行い、線形ガードレール等の装置に設置されることにより、転動体４ａが回旋循環運動である回旋領域を通過する時、二つの抗張帯３ａ上の可撓性部分３１ａが、摩擦抵抗を低減するように回旋領域に対応して弾性変形して、転動体４ａをスムーズに回旋領域を通過させ、連続的に循環回旋運動を行える。
【０００８】
しかし、上記の、従来の転動体保持器は、実際に実行する時に次のような欠点がある
【０００９】
１、従来のスペーサー１ａは、対向する単一の球面１１ａで、転動体４ａを被覆し、また、面接触の方式であるため、回旋循環運動を行う時、好ましくない摩擦抵抗や押詰り現象が発生する。また、もう一つの従来のスペーサー１ａは、凹槽１２ａにより、転動体４ａと点接触するが、回旋循環運動を行う時、転動体４ａをスペーサー１ａの中心位置に安定的に保持できず、そのため、転動体４ａが回旋する時、脱出現象が起こり易い。
【００１０】
２、連結帯２ａと抗張帯３ａが、単一的に連接結合され、強度を考慮するため、連結帯２ａと抗張帯３ａとを共通に形成して面積を増大させるが、可撓性部分３１ａの均一性が低減され、好ましくない摩擦抵抗や塑性変形が発生し、回旋循環運動のスムーズさに影響を与える。また、従来の他の形態は、比較的に長い可撓性部分３１ａと比較的に小さい共通面積を有するが、構造強度が不足で、回旋循環運動を行う時、亀裂現象が起こり易い。
【００１１】
３、スペーサー１ａの球面１１ａ（図１）や凹槽１２ａ（図２）の幾何外形は、製造する時、射出の型抜きに不利で、また、型抜き後のサイズが変形し易い。
【００１２】
本考案者は、上記の欠点を解消するため、慎重に研究して、また、学理を運用することにより、設計が合理的で、有効的に上記の欠点を改善できる本考案を提案した。
【考案の開示】
【考案が解決しようとする課題】
【００１３】
本考案の主な目的は、局部被覆により、転動体をスペーサーの間にある中心位置に保持し、回旋循環運動を行う時、好ましくない押詰りや脱出現象を防止する転動体保持器の改良構造を提供する。
【００１４】
本考案の他の目的は、連結帯の数を増加させることにより、抗張帯の可撓均一性が向上されて、摩擦抵抗が低減され、また、塑性変形や亀裂現象を防止できる転動体保持器の改良構造を提供する。
【００１５】
本考案の更に他の目的は、スペーサーと２対の連結帯の外形が、射出成型の型抜きに有利で、製造コストを低減できる転動体保持器の改良構造を提供する。
【課題を解決するための手段】
【００１６】
本考案は、上記の目的を達成するため、その表面に凹設された貯油部を複数有し、且つ、前後両端面に、それぞれ、接触面を複数有し、また、対向する前記接触面により局部被覆式収納空間が形成される複数のスペーサーと、１対ごとに、前記スペーサーの両側に設置される２対の連結帯と、それぞれ、前記スペーサーの両側に設置され、また、前記２対の連結帯と連接結合される二つの抗張帯と、それぞれ、転動自由に前記局部被覆式収納空間内に収納される複数の転動体とを有する転動体保持器の改良構造である。
【００１７】
本考案は、次の利点がある。前記転動体は、それぞれ前記局部被覆式収納空間内に収納され、接触面と転動体とが、局部的に面接触することにより、摩擦抵抗が低減され、また、押詰り現象や脱出現象の発生を防止できる。
【００１８】
また、前記スペーサーは、前記２対の連結帯により前記二つの抗張帯と連接されるため、前記抗張帯の可撓均一性を向上させると同時に強度も考慮できることにより、大幅に二つの抗張帯が行う回旋循環運動により生成された摩擦抵抗を低減すると共に効率的に、亀裂現象や塑性変形等の問題を解消できる。
【００１９】
また、前記スペーサーの接触面と前記二つの連結帯の幾何（学的）外形が、型抜き射出成形に有利で、効率的に歩留まりを向上できるため、製造コストを低減し、企業の収益性を向上できる。
【００２０】
以下、図面を参照しながら、本考案の特徴や技術内容について、詳しく説明するが、本考案は、それに制限されることがない。
【考案を実施するための最良の形態】
【００２１】
図５乃至図９に示すように、本考案に係わる転動体保持器の改良構造は、線形ガードレール装置５上で、回旋循環運動を行うためのもので、複数のスペーサー１と２対の連結帯２、二つの抗張帯３及び複数の転動体４を含む。
【００２２】
前記スペーサー１は、起立したシート体で、直線状に間隔を開けて二つの抗張帯３の間に配列され、且つ、転動体が相対運動する時に潤滑させる機能を果す潤滑油を収納できるように、表面に凹設された貯油部を複数有する。貯油部は、第１の凹槽１１と二つの第２の凹槽１２を有し、第１の凹槽１１は、開放的な円弧状溝で、スペーサー１の上端から下へ凹むように成形され、また、スペーサー１の両側に連通する。二つの第２の凹槽１２は、それぞれ、スペーサー１の前後両端面に形成され、また、スペーサー１の端面上にある接触面１３に隣接し、接触面１３とともに、凹むように形成される。
【００２３】
スペーサー１は、前後の両端面上に、それぞれ、複数の接触面１３があり、接触面１３は、第１の球面１３１と二つの第２の球面１３２を有し、該二つの第２の球面１３２は、相対するように、スペーサー１の両側縁に設置され、外へ曲がって延びるように成形される。第１の球面１３１は、二つの第２の球面１３２の間で、上へ曲がって成形され、スペーサー１の上縁と接する。
【００２４】
第１の球面１３１と二つの第２の球面１３２は、転動体４に対応するように成形され、また、隣接するスペーサー１の間において、相対する第１の球面１３１と二つの第２の球面１３２とで、局部被覆式収納空間１４が形成される。該局部被覆式収納空間１４は、第１の球面１３１及び二つの第２の球面１３２と転動体４の表面とが、部分的に表面接触するように、転動体４を収納する。
【００２５】
２対の連結帯２は、１対毎に、スペーサー１の両側に設置され、接触面１３と連接結合し、１対の連結帯２の一端が、スペーサー１の前後端の第２の球面１３２に隣接し、また、外へ向かって、相対的に、二つに分かれて抗張帯３まで伸びる。
【００２６】
二つの抗張帯３は、それぞれ、各スペーサー１の両側に設置され、また、２対の連結帯２の外縁と連接結合する。抗張帯３の断面は円形で、二つの抗張帯３上に、可撓性部分３１と非可撓性部分３２があり、該可撓性部分３１は、スペーサー１の間隔に対応する所定の縦方向距離を有し、また、１対の連結帯２の他端が、ともに、抗張帯３上の可撓性部分３１の中間位置に連接結合される。非可撓性部分３２は、抗張帯３のスペーサー１側において、スペーサー１に対応し、スペーサー１の前後縁に隣接する縦方向距離を有する。可撓性部分３１は、二つの抗張帯３とそれに連接する連結帯２に対応する、屈曲作用を有するセッションであり、非可撓性部分３２は、二つの抗張帯３と各スペーサー１に対応する、屈曲作用を有しないセッションである。
【００２７】
図９を参照すると、各転動体４は、真円度が高いボール（或いは、ローラー）であり、それぞれ、転動可能に各局部被覆式収納空間１４内に収納され、また、各接触面１３による緊密な局部被覆作用により、各転動体４は、隣接するスペーサー１の間の中心位置に保持される。
【００２８】
図１０と図１１に示すように、上記の各素子の構造により、転動体４を線形ガードレール装置５上に設置することができる。線形ガードレール装置５は、互いに対応するガイド槽５１１を複数有するスライダー５１と、ガードレール５２とを含み、ガイド槽５１１の内縁面が、転動体４に対応して成形され、転動体４とスペーサー１等の素子が、直列にガイド槽５１１内に設置され、転動体４と二つの抗張帯３は、ガイド槽５１１の内縁面に点接触し、また、回旋循環運動を行い、図１１に示すように、転動体４が、回旋領域５１２を経由する時、可撓性部分３１は、回旋領域５１２の曲率変化に応じるように所定の程度で弾性変形し、同時に、接触面１３により、転動体４が、スペーサーの間の中心位置に保持され、これにより、転動体４が、スムーズに回旋領域５１２を通過でき、また、連続的に回旋循環運動を行い、そのため、スライダー５１は、ガードレール５２上で精密に相対位置の位置合わせを実行することができる。
【００２９】
本考案により、次の利点と機能が得られる。
【００３０】
１、転動体４が、それぞれ、局部被覆式収納空間１４内に収納され、接触面１３と転動体４とが、局部の面接触することにより、摩擦抵抗を低減し、また、押詰り現象や脱出現象の発生を防止できる。
【００３１】
２、スペーサー１は、２対の連結帯２により二つの抗張帯３に連接されるため、抗張帯３の可撓性部分３１の均一性が向上されると同時に、強度を考慮できるため、大幅に、二つの抗張帯３が行う回旋循環運動により生成された摩擦抵抗を低減すると共に、有効的に、亀裂現象や塑性変形等の問題を解消できる。
【００３２】
３、スペーサー１の接触面１３と二つの連結帯２は、幾何（学的）外形が、型抜き射出成形に有利であるため、有効的に、歩留まりを向上し、製造コストの低減ができ、企業の収益性が向上される。
【００３３】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００３４】
【図１】従来の転動体保持器の立体概念図である。
【図２】従来の転動体保持器の上面図である。
【図３】従来の他の転動体保持器の立体概念図である。
【図４】従来の他の転動体保持器の上面図である。
【図５】本考案に係わる転動体保持器の改良構造の立体概念図である。
【図６】本考案に係わる転動体保持器の改良構造の上面図である。
【図７】本考案に係わる転動体保持器の改良構造の側面図である。
【図８】本考案に係わる転動体保持器の改良構造の正面図である。
【図９】本考案の転動体を実装する状態の概念図である。
【図１０】本考案に係わる転動体保持器を線形ガードレールに設置する時の立体概念図である。
【図１１】本考案に係わる転動体保持器が、回旋循環運動を行う時の概念図である。
【符号の説明】
【００３５】
［従来］
１ａ      スペーサー
１１ａ    球面
１２ａ    凹槽
２ａ      連結帯
３ａ      抗張帯
３１ａ    可撓性部分
３２ａ    非可撓性部分
４ａ      転動体
［本考案］
１        スペーサー
１１      第１の凹槽（貯油部）
１２      第２の凹槽（貯油部）
１３      接触面
１３１    第１の球面
１３２    第２の球面
１４      局部被覆式収納空間
２        連結帯
３        抗張帯
３１      可撓性部分
３２      非可撓性部分
４        転動体
５        線形ガードレール装置
５１      スライダー
５１１    ガイド槽
５１２    回旋領域
５２      ガードレール
【図１】
0003138974.tif 000003
【図２】
0003138974.tif 000004
【図３】
0003138974.tif 000005
【図４】
0003138974.tif 000006
【図５】
0003138974.tif 000007
【図６】
0003138974.tif 000008
【図７】
0003138974.tif 000009
【図８】
0003138974.tif 000010
【図９】
0003138974.tif 000011
【図１０】
0003138974.tif 000012
【図１１】
0003138974.tif 000013
【手続補正書】
【提出日】平成19年11月19日(2007.11.19)
【手続補正１】
【補正対象書類名】実用新案登録請求の範囲
【補正対象項目名】全文
【補正方法】変更
【補正の内容】
【実用新案登録請求の範囲】
【請求項１】
その表面に凹設された貯油部を有し、前後の両端面に、それぞれ、複数の接触面が設けられ、対応する接触面同士により、局部被覆式収納空間が形成される複数のスペーサーと、
１対毎に、前記スペーサーの両側に設置される２対の連結帯と、
それぞれ、前記スペーサーの両側に設置され、また、前記２対の連結帯と連接結合される２本の抗張帯と、
それぞれ、転動自由に前記局部被覆式収納空間に収納される複数の転動体とを備えることを特徴とする転動体保持器。
【請求項２】
前記貯油部は、第１の凹槽及び二つの第２の凹槽からなり、前記第１の凹槽は、前記スペーサーの上端から下へ凹むように形成され、前記スペーサーの両側に連通する開放式円弧状溝であり、前記二つの第２の凹槽は、それぞれ、隣接する前記接触面とともに凹むように、前記スペーサーの前後の両端面に形成されることを特徴とする請求項１に記載の転動体保持器。
【請求項３】
前記スペーサーは、直線的に間隔を空けて、前記二つの抗張帯の間に配列され、前記接触面が、前記転動体に対応し、また、前記転動体の表面の一部の面に接触し、１対の連結帯が、該スペーサー側から外へ向かって、相対的に、二つに分かれて前記抗張帯まで延ばされて連接結合されることを特徴とする請求項１に記載の転動体保持器。
【請求項４】
前記接触面は、第１の球面と二つの第２の球面からなり、該二つの第２の球面は、相対的に、前記スペーサーの両側縁に設置され、また、前記連結帯に隣接して外へ向かい、湾曲して成形され、前記第１の球面は、前記二つの第２の球面の間で、上へ曲がって成形され、また、前記スペーサーの上縁と連接することを特徴とする請求項１に記載の転動体保持器。
【請求項５】
前記抗張帯は、前記スペーサーの間隔に対応する縦方向距離を有する可撓性部分を有し、前記連結帯は、一端が、前記スペーサー側に連接結合され、他端が、前記抗張帯の前記可撓性部分の中間位置において連接結合され、また、前記抗張帯は、前記スペーサーに対応する側において、前記スペーサーの前後縁に隣接する縦方向距離を有する非可撓性部分を有することを特徴とする請求項１に記載の転動体保持器。
【手続補正３】
【補正対象書類名】明細書
【補正対象項目名】０００１
【補正方法】変更
【補正の内容】
【０００１】
本考案は、転動体保持器に関し、特に、転動体を安定的に且つスムーズに転動でき、線形ガードレール等の装置に適用でき、精密に所望の作動を行えるものに関する。
【手続補正４】
【補正対象書類名】明細書
【補正対象項目名】００１３
【補正方法】変更
【補正の内容】
【００１３】
本考案の主な目的は、局部被覆により、転動体をスペーサーの間にある中心位置に保持し、回旋循環運動を行う時、好ましくない押詰りや脱出現象を防止する転動体保持器を提供する。
【手続補正５】
【補正対象書類名】明細書
【補正対象項目名】００１４
【補正方法】変更
【補正の内容】
【００１４】
本考案の他の目的は、連結帯の数を増加させることにより、抗張帯の可撓均一性が向上されて、摩擦抵抗が低減され、また、塑性変形や亀裂現象を防止できる転動体保持器を提供する。
【手続補正６】
【補正対象書類名】明細書
【補正対象項目名】００１５
【補正方法】変更
【補正の内容】
【００１５】
本考案の更に他の目的は、スペーサーと２対の連結帯の外形が、射出成型の型抜きに有利で、製造コストを低減できる転動体保持器を提供する。
【手続補正７】
【補正対象書類名】明細書
【補正対象項目名】００１６
【補正方法】変更
【補正の内容】
【００１６】
本考案は、上記の目的を達成するため、その表面に凹設された貯油部を複数有し、且つ、前後両端面に、それぞれ、接触面を複数有し、また、対向する前記接触面により局部被覆式収納空間が形成される複数のスペーサーと、１対ごとに、前記スペーサーの両側に設置される２対の連結帯と、それぞれ、前記スペーサーの両側に設置され、また、前記２対の連結帯と連接結合される二つの抗張帯と、それぞれ、転動自由に前記局部被覆式収納空間内に収納される複数の転動体とを有する転動体保持器である。
【手続補正８】
【補正対象書類名】明細書
【補正対象項目名】００２１
【補正方法】変更
【補正の内容】
【００２１】
図５乃至図９に示すように、本考案に係わる転動体保持器は、線形ガードレール装置５上で、回旋循環運動を行うためのもので、複数のスペーサー１と２対の連結帯２、二つの抗張帯３及び複数の転動体４を含む。